(57)【要約】      （修正有）【課題】点光源から出射した光の指向性を高めることで、照明エリアを限定することができると共に、照明エリア内の照度の均一化を図ることができる照明光を出射する導光体と照明装置を提供する。【解決手段】凹部と、凹部から入射した光を導光する導光部とを有し、導光部は、透明樹脂に光散乱粒子が含有される光散乱導光部であり、導光部を挟んで、導光部内の光を反射する第１反射面７と、導光部内の光を出射する光出射面６とが配置され、第１反射面７と光出射面６との間隔は、凹部からの距離が長くなるほど狭くなり、光出射面６には、導光部の側に反射面を向ける複数の反射面８Ａからなる第２反射面８が設けられ、第２反射面８は、凹部からの距離が長くなるほど、複数の反射面８Ａが設けられる密度が低くなる。【選択図】図６
2012186081.tif 000002
【特許請求の範囲】
【請求項１】
光入射部と、
前記光入射部から入射した光を導光する導光部と、
を有し、
前記導光部は、透明樹脂に光散乱粒子が含有される光散乱導光部であり、
前記導光部を挟んで、前記導光部内の光を反射する第１の反射面と、前記導光部内の光を出射する光出射面とが配置され、
前記第１の反射面と前記光出射面との間隔は、前記光入射部からの距離が長くなるほど狭くなり、
前記光出射面には、前記導光部の側に反射面を向ける複数の反射面からなる第２の反射面が設けられ、
前記第２の反射面は、前記光入射部からの距離が長くなるほど、前記複数の反射面が設けられる密度が低くなる、
ことを特徴とする導光体。
【請求項２】
請求項１に記載の導光体であって、
前記導光部の前記第１の反射面と前記光出射面とを繋ぐ端部に前記導光部の側に反射面を向けた第３の反射面を備える、
ことを特徴とする導光体。
【請求項３】
請求項１または２に記載の導光体であって、
前記光入射部に対して前記導光部を挟んだ位置には、反射面を前記導光部の側に向ける第４の反射面を備える、
ことを特徴とする導光体。
【請求項４】
請求項１から３のいずれか１項に記載の導光体であって、
前記複数の反射面は、互いに同心円に形成されている、
ことを特徴とする導光体。
【請求項５】
請求項１から３のいずれか１項に記載の導光体であって、
前記複数の反射面は、複数の点状に形成されている、
ことを特徴とする導光体。
【請求項６】
請求項１から５のいずれか１項に記載の導光体と、
前記導光体の前記光入射部に配置される光源と、
を備えることを特徴とする照明装置。
【発明の詳細な説明】
【技術分野】
【０００１】
本発明は、導光体および照明装置に関する。
【背景技術】
【０００２】
近年、たとえば、液晶表示装置のバックライトにおいては、表示画像を鮮明にするため、表示される画像のエリア毎に光量を制御することが行われる。そのため、所定のエリアのみを均一な照度で照明することが要求されることがある。
たとえば、特許文献１においては、点光源から出射した光をハウジング内で拡散させ、この拡散された光を、光導通反射部材を通過させることで、面光源から出射する照明光である面照明光に近い照明光を出射することができる照明装置が開示されている。かかる構成の照明装置によれば、点光源から出射した光を、面照明光に近い照明光でありながら指向性を持たせたとして出射させることができる。そのため照明エリア（被照明範囲）を限定することができ、加えて、この照明エリア内の照度の均一化を図ることが期待できる。
【先行技術文献】
【特許文献】
【０００３】
【特許文献１】特開２０１０−２８２８５２号公報
【発明の概要】
【発明が解決しようとする課題】
【０００４】
しかしながら、面照明光に一層の指向性を持たせることで、所定のエリアのみを照明し易くなり、また、照明エリア内の照度をより均一化することで、たとえば、液晶表示装置においては、より鮮明な画像を表示することが可能となる。
【０００５】
そこで、本発明は、面照明光でありながら一層の指向性を持たせることができると共に、照明エリア内の照度の一層の均一化を図ることができる導光体と照明装置を提供することを課題とする。
【課題を解決するための手段】
【０００６】
上記目的を達成するため、本発明の導光体は、光入射部と、光入射部から入射した光を導光する導光部とを有し、導光部は、透明樹脂に光散乱粒子が含有される光散乱導光部であり、導光部を挟んで、導光部内の光を反射する第１の反射面と、導光部内の光を出射する光出射面とが配置され、第１の反射面と光出射面との間隔は、光入射部からの距離が長くなるほど狭くなり、光出射面には、導光部の側に反射面を向ける複数の反射面からなる第２の反射面が設けられ、第２の反射面は、光入射部からの距離が長くなるほど、複数の反射面が設けられる密度が低くなることとする。
【０００７】
また、導光体は、導光部の第１の反射面と光出射面とを繋ぐ端部に導光部の側に反射面を向けた第３の反射面を備えることが好ましい。
【０００８】
また、導光体は、光入射部に対して導光部を挟んだ位置には、反射面を導光部の側に向ける第４の反射面を備えることが好ましい。
【０００９】
また、導光体は、複数の反射面が、互いに同心円に形成されていることが好ましい。
【００１０】
また、導光体は、複数の反射面が、複数の点状に形成されていることが好ましい。
【００１１】
上記目的を達成するため、本発明の照明装置は、上述のいずれかの導光体と導光体の光入射部に配置される光源とを備えることとする。
【発明の効果】
【００１２】
本発明によれば、面照明光でありながら一層の指向性を持たせることができると共に、照明エリア内の照度の一層の均一化を図ることができる導光体と照明装置を提供することができる。
【図面の簡単な説明】
【００１３】
【図１】本発明の実施の形態に係る導光体を備える照明装置の構成を示す斜視図である。
【図２】図１に示す照明装置を光の出射方向から見た平面図である。
【図３】上段（Ａ）は、図１に示す照明装置の側面図であり、下段（Ｂ）は底面図である。
【図４】図１に示す切断線Ａ−Ａにおける照明装置の断面図である。
【図５】光線が散乱粒子により散乱される状態を模式的に示す図である。
【図６】ＬＥＤから出射した光の光路の例を示す図である。
【図７】照明装置を縦横に２台ずつ並べ、全台を点灯したときの照度分布を示す図である。
【図８】照明装置を縦横に２台ずつ並べ、１台を点灯したときの照度分布を示す図である。
【図９】照明装置を縦横に２台ずつ並べ、３台を点灯したときの照度分布を示す図である。
【図１０】照明装置を縦横に２台ずつ並べ、全台を点灯したときの配光分布を示す図である。
【図１１】第２反射面の他の例を示す図である。
【図１２】導光部中の光散乱粒子となるシリコーン粒子の散乱原理を示す図で、単一真球粒子による散乱光強度の角度分布（Α、Θ）を示すグラフである。
【発明を実施するための形態】
【００１４】
以下、本発明の実施の形態に係る導光体１とこの導光体１を用いる照明装置２の構成について、図面を参照しながら説明する。
【００１５】
（照明装置の構成）
図１は、本発明の実施の形態に係る導光体１を備える照明装置２の構成を示す斜視図である。図２は、照明装置２を光の出射方向から見た平面図である。図３の上段（Ａ）は、図１に示す照明装置２の側面図であり、下段（Ｂ）は底面図である。図４は、図１に示す切断線Ａ−Ａにおける照明装置２の断面図である。以下の説明では、図に示す矢印Ｆ方向を、照明装置２の光の出射方向である前方とし、その反対方向を後方として説明する。また、光軸Ｘに直交する方向を側方とすると共に、光軸Ｘに近づく方向を内方向（内側）とし、そして、光軸Ｘから離れる方向を外方向（外側）として説明を行うこととする。
【００１６】
照明装置２は、導光体１と、光源としてのＬＥＤ３（図４参照）とを有する。導光体１は、光入射部としての凹部４（図４等参照）と、この凹部４から入射するＬＥＤ３から出射した光を導光する導光部５とを有している。導光部５は、たとえば、透明なポリメチルメタクリレート（以下、「ＰＭＭＡ」と略記する。）からなる透明樹脂に後述する光散乱粒子が含有された光散乱導光部として形成されている。なお、透明樹脂としては、ＰＭＭＡの他に、ＰＥ（ポリエチレン  Ｐｏｌｙｅｔｈｙｌｅｎｅ）、ＰＰ（ポリプロピレン  Ｐｏｌｙｐｒｏｐｙｌｅｎｅ）、ＰＣ（ポリカーボネート  Ｐｏｌｙｃａｒｂｏｎａｔｅ）等の樹脂を用いることができる。導光部５は、扁平した略四角錐の形状を呈し、四角錐の頂部に当たる部分には、後方から前方に凹む形状の凹部４が形成されている。また、略四角錐の形状の底面５Ａに当たる部分は光出射面６として構成され、側面５Ｂに当たる部分には第１の反射面（第１反射面）７が設けられている。つまり、光出射面６と第１反射面７とは導光部５を挟んで配置されている。光出射面６には、導光部５の側に反射面を向ける複数の反射面８Ａからなる第２の反射面（第２反射面）８が設けられている。
【００１７】
（凹部４）
凹部４は、後方から前方に略半球状に凹む形状を呈している。ＬＥＤ３の光出射部分は、全て凹部４内に収納されている。したがって、ＬＥＤ３から出射した光のほとんどを、凹部４の内面に入射させることができる。ＬＥＤ３は基板９に実装され、図以外の駆動回路および電源により発光することができる。
【００１８】
（第１反射面７）
第１反射面７は、第１反射面７に入射した導光部５内の光を、導光部５内に反射させる反射面である。第１反射面７は、導光部５の側面５Ｂに、たとえば、アルミニウム等の金属の蒸着やメッキ処理を施したり、あるいは反射材を貼付することで形成することができる。また、側面５Ｂに直接反射面を形成する替わりに、側面５Ｂは光を透過可能にしておき、側面５Ｂの後方に第１反射面７としての反射鏡を配置する構成としてもよい。底面５Ａは、光軸Ｘに対して直交する面に沿う面であるのに対し、側面５Ｂは、外方向が前方に傾斜している。すなわち、第１反射面７と光出射面６との間隔は、凹部４すなわち光軸Ｘからの距離が長くなるほど狭くなっている。
【００１９】
（第２反射面８）
第２反射面８は、第２反射面８に入射した導光部５内の光を、導光部５内に反射させる反射面である。第２反射面８は、光軸Ｘを中心に互いに同心円状に形成される複数の反射面８Ａから形成される。反射面８Ａは、隣接する反射面８Ａの間隔８Ｂが、全体として、内側から外側に向かうほど広くなり、また、反射面８Ａの直径方向の幅８Ｃが、全体として、内側から外側に向かうほど狭くなる。つまり、第２反射面８は、凹部４（光軸Ｘ）からの距離が長くなるほど、複数の反射面８Ａが設けられる密度が低くなるように形成されている。光出射面６のうち、第２反射面８が形成されていない部分、すなわち、隣接する反射面８Ａと反射面８Ａとの間は、導光部５内の光を導光部５の前方側に出射することができる光出射部１０として形成されている。
【００２０】
なお、第２反射面８は、導光部５の光出射面６に、たとえば、アルミニウム等の金属の蒸着やメッキ処理を施したり、あるいは反射材を貼付することで形成することができる。また、光出射面６に直接反射面を形成する替わりに、光出射面６の前方に第２反射面８としての反射鏡を配置する構成としてもよい。
【００２１】
（第３反射面１２）
第１反射面７と光出射面６とを繋ぐ部分は端面５Ｃに形成されている。端面５Ｃには、端面５Ｃに入射した導光部５内の光を、導光部５内に反射させる第３の反射面（第３反射面）１２が形成されている。第３反射面１２は、端面５Ｃに、たとえば、アルミニウム等の金属の蒸着やメッキ処理を施したり、あるいは反射材を貼付することで形成することができる。端面５Ｃに直接反射面を形成する替わりに、端面５Ｃの外側に第３反射面１２としての反射鏡を配置する構成としてもよい。
【００２２】
（第４反射面１４）
凹部４に対して導光部５を挟んだ位置には、前方から後方に向けて円弧面状（球の一部の形状）に凹む凹面１３が形成されている。凹面１３には、凹面１３に入射した導光部５内の光を、導光部５内に反射させる第４の反射面（第４反射面）１４）が形成されている。第４反射面１４は、凹面１３に、たとえば、アルミニウム等の金属の蒸着やメッキ処理を施したり、あるいは反射材を貼付することで形成することができる。第４反射面１４は、導光部５内から見たときに後方に突出する凸面鏡の形状となっている。凹面１３に直接反射面を形成する替わりに、凹面１３の前方に第４反射面１４としての反射鏡を配置する構成としてもよい。
【００２３】
導光部５には、光散乱手段として、光を多重散乱させることができる球形の光散乱粒子が、体積的に一様に多数含有されている。すなわち、導光部５は、散乱能が与えられた光散乱導光部として構成されている。したがって、導光部５の内部に光が入射すると、その光は光散乱粒子によって散乱する。つまり、図５に例示的に示す光線Ｒのように、１本の光線が、光散乱粒子により様々な方向に散乱させられる。光散乱粒子は、たとえば、以下に説明するシリコーン粒子により形成することができる。なお、光散乱粒子は、シリカにより形成することができる。
【００２４】
ここで、光散乱粒子（シリコーン粒子）の理論的な基礎を与えるＭｉｅ散乱理論について説明する。Ｍｉｅ散乱理論は、一様な屈折率を有する媒体（マトリックス）中に該媒体と異なる屈折率を有する球形粒子（光散乱粒子）が存在するケースについてマックスウェルの電磁方程式の解を求めたものである。光散乱粒子に相当する光散乱粒子によって散乱した散乱光の角度に依存した強度分布Ｉ（Α、Θ）は下記（１）式で表される。Αは、光散乱粒子の光学的大きさを示すサイズパラメータであり、マトリックス中での光の波長λで規格化された球形粒子（光散乱粒子）の半径ｒに相当する量である。角度Θは散乱角で、入射光の進行方向と同一方向をΘ＝１８０°にとる。
【００２５】
また、（１）式中のｉ１、ｉ２は（４）式で表される。そして、（２）〜（４）式中の下添字ν付のａおよびｂは（５）式で表される。上添字１および下添字νを付したＰ（ｃｏｓΘ）は、Ｌｅｇｅｎｄｒｅの多項式、下添字ν付のａ、ｂは１次、２次のＲｅｃａｔｔｉ−Ｂｅｓｓｅｌ関数Ψ＊、ζ＊（ただし、「＊」は下添字νを意味する。）とその導関数とからなる。ｍはマトリックスを基準にした光散乱粒子の相対屈折率で、ｍ＝ｎｓｃａｔｔｅｒ／ｎｍａｔｒｉｘである。
【００２６】
【数１】
2012186081.tif 000003
【００２７】
図１２は、上記（１）〜（５）式に基づいて、単一真球粒子による強度分布Ｉ（Α、Θ）を示すグラフである。この図１２では、原点Ｇの位置に光散乱粒子としての真球粒子があり、図１２における下方から入射光が入射した場合の散乱光強度の角度分布Ｉ（Α、Θ）を示している。そして、原点Ｇから各曲線までの距離が、それぞれの散乱角方向の散乱光強度である。ひとつの曲線はΑが１．７であるときの散乱光強度、別の曲線はΑが１１．５であるときの散乱光強度、さらに別の曲線はΑが６９．２であるときの散乱光強度である。なお、図１２においては、散乱光強度を対数目盛で示している。このため、図１２では僅かな強度差として見える部分が、実際には非常に大きな差となる。
【００２８】
この図１２に示すように、サイズパラメータΑが大きくなればなるほど（ある波長λで考えた場合は真球粒子の粒径が大きくなればなるほど）、図１２における上方（照射方向の前方）に対して指向性が高く光が散乱されていることがわかる。また、実際のところ、散乱光強度の角度分布Ｉ（Α、Θ）は、入射光波長λを固定すれば、散乱子の半径ｒと、媒体および光散乱粒子の相対屈折率ｍとをパラメータとして制御することができる。
【００２９】
このような、単一真球粒子がＮ個含まれる導光部５に光が入射すると、光は真球粒子により散乱される。散乱光は導光部５中を進み、他の真球粒子により再度散乱される。ある程度以上の体積濃度で粒子を添加した場合には、このような散乱が逐次的に複数回行われた後、光が導光部５から出射する。このような散乱光がさらに散乱されるような現象を多重散乱現象と呼ぶ。このような多重散乱においては、透明ポリマーでの光線追跡法による解析は容易ではない。しかし、モンテカルロ法により光の挙動を追跡し、その特性を解析することはできる。それによると、入射光が無偏光の場合、散乱角の累積分布関数Ｆ（Θ）は下記の（６）式で表される。
【００３０】
【数２】
2012186081.tif 000004
【００３１】
ここで（６）式中のＩ（Θ）は、（１）式で表されるサイズパラメータΑの真球粒子の散乱強度である。強度Ｉｏの光が導光部５に入射し、距離ｙを透過した後、光の強度が散乱によりＩに減衰したとすると、これらの関係は下記の（７）式で表される。
【００３２】
【数３】
2012186081.tif 000005
【００３３】
この（７）式中のτは濁度と呼ばれ、媒体の散乱係数に相当するものであり、下記の（８）式のように粒子数Ｎに比例する。なお、（８）式中、σｓは散乱断面積である。
【００３４】
【数４】
2012186081.tif 000006
【００３５】
（７）式から長さＬの導光部５を散乱せずに透過する確率Ｐｔ（Ｌ）は下記の（９）式で表される。
【００３６】
【数５】
2012186081.tif 000007
【００３７】
反対に光路長Ｌまでに散乱される確率Ｐｓ（Ｌ）は下記の（１０）式で表される。
【数６】
2012186081.tif 000008
【００３８】
これらの式からわかるように、濁度τを変えることにより、導光部５内での多重散乱の度合いを制御することができる。
【００３９】
以上の関係式により、光散乱粒子のサイズパラメータΑと濁度τとの少なくとも１つをパラメータとして、導光部５内での多重散乱が制御可能である。
【００４０】
ここで、導光部５に含有されている光散乱粒子は、たとえば、平均粒径が２．４μｍの透光性のシリコーン粒子とすることができる。また、光散乱粒子による散乱係数に相当する散乱パラメータである濁度τは、τ＝０．４９（λ＝５５０ｎｍ）とすることができる。
【００４１】
導光部５に上述の光散乱粒子を含有することで、導光部５内に入射した光は、導光部５内で散乱させられ、導光部５内における光線の分布（照度）は均一化される。そのため、光出射部１０から出射する光の照度は、光出射部１０が配置されるＬＥＤ３からの距離に拘わらず均一化されている。
【００４２】
（導光体１内の光路）
次に、上述のように構成される照明装置２において、ＬＥＤ３から出射された光が導光体１に入射し、光出射面６から出射するまでの光路の傾向を、図６を参照しながら例示的に説明する。導光部５には光散乱粒子が含有されている。そのため、導光部５内の光は、図５に示すように、光散乱粒子により散乱されながら進行する。光Ｌ１から光Ｌ５は、説明を簡略化するため、図６上においては直線的に描いているが、導光部５を実際に進行する光は光散乱粒子により散乱されながら進行する。つまり、光Ｌ１から光Ｌ５は光の光路を大局的に示すものである。なお、図６では、光路を判り易くするため、図４に示す導光体１に付したハッチングを省略している。
【００４３】
ＬＥＤ３から出射し第２反射面８に入射する光Ｌ１は、第２反射面８と第１反射面７との間で反射を繰り返した後、光出射部１０から導光体１の前方に出射する。第２反射面８は光軸Ｘに対して直交する面に沿う面であるのに対し、第１反射面７は、外方向が前方に傾斜する斜面となっている。そのため、光Ｌ１は、第２反射面８と第１反射面７との間で反射を繰り返す間に、前方に立ち上る光、すなわち、光出射面６に対する入射角（出射角）が小さな光となっていく。つまり、ＬＥＤ３から出射した光は、第２反射面８と第１反射面７との間で反射を繰り返す間に、全体として、光出射面６に対する入射角（出射角）が小さな光に変化させられて光出射部１０から出射する。言い換えれば、光出射部１０から側方に出射する光を減らすことができる。これにより、照明装置２の前方における照明エリア（被照明範囲）を、光出射面６と対応したエリアに近づけることができる。
【００４４】
ＬＥＤ３から出射し第２反射面８に入射する光Ｌ２は、第２反射面８で後方に向けて反射された後、光散乱粒子により前方に向けて散乱され、光出射部１０から光出射面６の前側に出射する。光Ｌ２のように、第２反射面８と第１反射面７との間の反射の繰り返し回数が少ない光については、第２反射面８と第１反射面７との間の反射の繰り返し回数が多い光に比べて、光出射部１０から出射する際の出射角が比較的大きくなり易く、反射面８Ａの前方にも光を配光することができる。導光部５に光散乱粒子を含有させることで、含有しない場合に比べて光出射部１０から側方に向けて出射する光を発生させ易くなる。
【００４５】
また、ＬＥＤ３から出射し光出射部１０に入射する光Ｌ３は、光出射部１０から光出射面６の前側に出射する。光Ｌ３についても、第２反射面８と第１反射面７との間の反射の繰り返し回数が少ない。そのため、光出射部１０から出射する際の出射角が比較的大きくなり易く、反射面８Ａの前方にも光を配光することができる。
【００４６】
光Ｌ１を例にして説明したように、ＬＥＤ３から出射した光は、第２反射面８と第１反射面７との間で反射を繰り返すことで、光出射部１０から出射する光の出射角は小さくなる。そのため、反射面８Ａの前方の照度が落ちやすい。特に、反射面８Ａに近いほど反射面８Ａの陰になり易く照度が低下し易い。しかしながら、光Ｌ２，Ｌ３のように、比較的大きな出射角で反射面８Ａの前方に配光される光により、反射面８Ａの前側を照明することができる。したがって、反射面８Ａの前方において、光量が極端に低下し影となってしまう領域を減らすことができる。
【００４７】
ＬＥＤ３から出射し第４反射面１４に入射する光Ｌ４は、第４反射面１４で側方に反射され、第１反射面７で反射された後、光出射部１０から前方に出射する。第４反射面１４が存在することで、照明エリアの光軸Ｘに近い部分の照度が、他の部分に比べて極端に高くならないようにすることができることに加えて、光軸Ｘから離れた位置の照明光の光量を増やすことができる。光軸Ｘに近い部分は、ＬＥＤ３からの距離が近く、また、光出射部１０から光軸Ｘに向けて出射する光が集まり易い。そのため、たとえば、第４反射面１４を設けない構成とした場合は、照明エリアの光軸Ｘに近い部分は、ＬＥＤ３から直接照明されると共に、光出射部１０から光軸Ｘに向けて出射される光により照明されるため、他の部分に比べて照度が極端に高くなる。
【００４８】
しかしながら、照明装置２のように、第４反射面１４を設けることで、ＬＥＤ３からの直接光を遮光できるため、光軸Ｘに近い部分の照度が、その周辺に比べて著しく高くなることを防止できる。また、第４反射面１４に入射した光を外方向に反射することができ、光軸Ｘから離れた位置の照明光の光量を増やすことができる。
【００４９】
ＬＥＤ３から出射し第４反射面１４に入射する光Ｌ５は、第１反射面７と第２反射面８との間の反射を繰り返し、また、端面５Ｃに形成される第３反射面１２により反射された後、第１反射面７と第２反射面８との間の反射を繰り返して光出射部１０から前方に向けて出射する。つまり、端面５Ｃに第３反射面１２を形成することで、端面５Ｃに入射した光Ｌ５が側方に透過してしまうことを防止できると共に、導光部５に戻すことで、光の利用効率を高くすることができる。
【００５０】
第３反射面１２は光軸Ｘ側に光を反射する。第３反射面１２に入射した光は、外側から内側に向かって進行する光として反射される。そのため、第３反射面１２で反射した光は、光出射面６から光軸Ｘと交差する方向に出射し易く、照明エリアの光軸Ｘに近い部分の照明に寄与する照明光となり易い。
【００５１】
たとえば、第４反射面１４の光軸Ｘと交差する部分に光出射部を形成することで、光軸Ｘに近い部分を照明することができるが、ＬＥＤ３との距離が近いため照度が著しく高くなり易い。これに比べて、第１反射面７と第２反射面８との間で反射を繰り返した光Ｌ５は照度が低下している。そのため、光軸Ｘに近い部分の照度を著しく高くしてしまうことがない。
【００５２】
上述のように、光出射部１０からは、光Ｌ１のような出射角の小さな光の他、光Ｌ２〜Ｌ５のように光Ｌ１に比べて出射角が大きな傾向にある光が出射する。したがって、光出射面６から出射する照明光は全体として面照明光となる。
【００５３】
第２反射面８の反射面８Ａの配置や面積、第１反射面７の第２反射面８に対する角度等を調整することで、光Ｌ１〜Ｌ５に代表される各光の量を制御することができ、導光体１から出射する照明光の配光角を制御することができる。たとえば、第２反射面８の密度を高くし光出射部１０の面積を少なくすると、第１反射面７と第２反射面８との間で反射が繰り返される光の量と繰り返しの回数が増え、光Ｌ１のように立ち上った光が増加する一方、光Ｌ２、Ｌ３、Ｌ４、Ｌ５のように側方に向けて出射する光が減り、全体として配光角が小さくなる傾向がある。逆に、第２反射面８の密度を低くし光出射部１０の面積を大きくすると、第１反射面７と第２反射面８との間で反射が繰り返される光の量と繰り返しの回数が減り、光Ｌ１のように立ち上った光が減少する一方、光Ｌ２、Ｌ３のように側方に向けて出射する光が増え、配光角が大きくなる傾向がある。
【００５４】
したがって、光Ｌ１のように立ち上った光を増加させながら、かつ、光Ｌ２、Ｌ３のように側方に向けて出射する光を適度に発生させるように第２反射面８を構成することで、光出射面６から出射する面照明光の指向性を強くすることができると共に、照明エリア内の照度の均一化を図ることができる。光Ｌ１のように立ち上った光を増加させることで、光出射面６から出射する面照明光の照明光の指向性を強くすることができる。また、光Ｌ２、Ｌ３のように側方に向けて出射する光を適度に発生させることで、反射面８Ａの前側を照明することができ、反射面８Ａの前方において、光量が極端に低下し影となってしまう領域を減らすことができ、これにより、照明エリア内の照度の均一化を図ることができきる。
【００５５】
（本発明の実施の形態によって得られる主な効果）
以上のように、導光体１は、第１反射面７と光出射面６とが導光部５を挟んで配置され、第１反射面７と光出射面６との間隔が、凹部４（光軸Ｘ）からの距離が長くなるほど狭くなるように構成されている。また、光出射面６には、導光部５の側に反射面を向ける複数の反射面８Ａからなる第２反射面８が設けられ、第２反射面８は、凹部４からの距離が長くなるほど、複数の反射面８Ａが設けられる密度が低くなるように構成されている。このように導光体１が構成されることで、導光体１から出射する面照明光に指向性を持たせ、所定の照明エリアのみを照明することが可能となると共に、照明エリア内の照度の一層の均一化を図ることができる。
【００５６】
また、導光部５に光散乱粒子を含有させることで、光出射部１０から出射する照明光の照明エリアにおける照度の均一化が図られる。また、導光部５に光散乱粒子を含有させることで、光出射部１０から側方に向けて出射する光を発生させ易くなり、第２反射面８によって遮光され易い第２反射面８の直前の部分における照度の低下を抑えることができる。また、導光部５に光散乱粒子を含有させることで、導光体１の光出射効率も高めることもできる。なお、光散乱粒子は、粒子径を１〜１０μｍとし、含有量を０．１から０．８重量％とすることが好ましい。このようにすることで、光出射部１０から出射する照明光の照明エリアにおける照度の均一化を好適に図ることができる。さらに、照明光の指向性の低下を抑えながら、光出射部１０から側方に向けて出射する光を発生させることができる。これにより、第２反射面８の前方の第２反射面８によって遮光される領域を狭くすることができる。
【００５７】
さらに、第２反射面８は、光軸Ｘから離れるほど反射面２Ａが設けられる密度が低くなり、光出射部１０が設けられる密度が高くなっている。これにより、光出射面６から出射する光の光量を、光軸Ｘに近いほど少なくすることができ、光軸Ｘから離れるにしたがって多くすることができる。
【００５８】
光出射面６から出射する光の照度は、光軸Ｘに近いほど光源であるＬＥＤ３に近くなるため高くなり、光軸Ｘから離れるにしたがって低くなる。したがって、第２反射面８を配置密度を上述のように設定することで、出射する光の照度が高くなる光軸Ｘ側ほど光出射面６から出射する光の光量を少なくすることができ、逆に、出射する光の照度が低くなる光軸Ｘから離れる側ほど光出射面６から出射する光の光量を多くすることができる。そのため、光出射面６から出射する光の照度の均一化を図ることができる。
【００５９】
また、第３反射面１２を備えることで、端面５Ｃから導光体１の外部に透過してしまう光を導光部５に戻し、光出射面６から出射させることで、光の利用効率が高くなる。また、第３反射面１２を備えることで、外側から内側に向かって進行する光を作ることができる。そのため、光出射面６から光軸Ｘと交差する方向に光を出射することができる。したがって、ＬＥＤ３の光軸Ｘ上に第４反射面１４が配置されている場合にも、光軸Ｘ側で照度が著しく低下してしまうことのないようにすることができる。
【００６０】
また、第３反射面１２を備えることで、端面５Ｃから導光体１の外部に透過してしまう光を導光部５に戻すことができる。仮に第３反射面１２を備えない場合、端面５Ｃから側方に光が出射し、導光体１から出射する面照明光の指向性を低下させてしまう。しかしながら、本実施の形態のように第３反射面１２を備えることで、端面５Ｃから光が出射することを効果的に防ぐことができる。端面５Ｃに墨塗り塗装等を施すことによっても端面５Ｃから光が出射することを防止できる。しかしながら、端面５Ｃに第３反射面１２を設けることで、より確実に端面５Ｃからの光の出射を防止できる。また、第３反射面１２により端面５Ｃから導光体１の外部に透過してしまう光を導光部５に戻し、光出射面６から出射させることで、光の利用効率も高くなる。また、第３反射面１２は光軸Ｘ側に光を反射するため、外側から内側に向かって進行する光を作ることができる。そのため、第３反射面１２で反射した光は、光出射面６から光軸Ｘと交差する方向に出射し易い。したがって、第３反射面１２で反射した光は、照明エリアの光軸Ｘに近い部分の照明に寄与する照明光となり易い。
【００６１】
第４反射面１４は、光軸Ｘに配置されている。したがって、ＬＥＤ３から出射した光は、直接、光軸Ｘの直上の領域を照明することができない。そのため、照明エリアの光軸Ｘに近い部分の照度が、他の部分に比べて極端に高くならないようにすることができる。また、第４反射面１４は、前方から後方に凹む円弧面である。そのため、ＬＥＤ３から出射し第４反射面１４に入射した光を側方に反射することができる。したがって、光軸Ｘから離れた位置の照明光の光量を増やすことができ、ＬＥＤ３から出射した光の利用効率を高めることができる。
【００６２】
（照度分布の具体例）
図７から図１０に、光出射面６が縦横４５ｍｍの正方形である照明装置２の照度分布と配光分布を示す。
【００６３】
図７は、上述した照明装置２を縦横に２台ずつ並べ、全台を点灯したときの照度分布を示すものである。図７（Ａ）は、照明装置２を前方から見たときの照明光の出射状態を模式的に表わしたものであり、照度が高い部分ほど白色が強く表わされている。図７（Ｂ）のグラフは、図７（Ａ）におけるＸ１−Ｘ２における照度を示すものである。図７（Ｃ）のグラフは、図７（Ａ）におけるＹ１−Ｙ２における照度を示すものである。図７に示す照度分布は、光出射面６の前方５ｍｍにおける照度分布である。図７より判るように、照明装置２から出射される照明光は、光出射面６から側方にほとんど照明光が漏れることなく、光出射面６と対向するエリアのみを照明している。また、照明エリア内の照度分布も均一化が図られている。
【００６４】
図８は、縦横に２台ずつ並べられた４台の照明装置２のうち、１台のみを点灯したときの照度分布を示すものである。図７と同様に、光出射面６の前方５ｍｍにおける照度分布を示している。また、図８（Ａ）は、照明装置２を前方から見たときの照明光の出射状態を模式的に表わしたものであり、照度が高い部分ほど白色が強く表わされている。図８（Ｂ）のグラフは、図８（Ａ）におけるＸ１−Ｘ２における照度を示すものである。図８（Ｃ）のグラフは、図８（Ａ）におけるＹ１−Ｙ２における照度を示すものである。図８より判るように、点灯している１台の照明装置２から出射される照明光は、光出射面６から側方にほとんど照明光が漏れることなく、点灯している照明装置２の光出射面６と対向するエリアのみを照明している。照明エリア内の照度分布も均一化が図られている。
【００６５】
図９は、縦横に２台ずつ並べられた４台の照明装置２のうち、３台を点灯したときの照度分布を示すものである。図７と同様に、光出射面６の前方５ｍｍにおける照度分布を示している。また、図９（Ａ）は、照明装置２を前方から見たときの照明光の出射状態を模式的に表わしたものであり、照度が高い部分ほど白色が強く表わされている。図９（Ｂ）のグラフは、図９（Ａ）におけるＸ１−Ｘ２における照度を示すものである。図９（Ｃ）のグラフは、図９（Ａ）におけるＹ１−Ｙ２における照度を示すものである。図９より判るように、点灯している３台の照明装置２から出射される照明光は、光出射面６から側方にほとんど照明光が漏れることなく、点灯している照明装置２の光出射面６と対向するエリアのみを照明している。照明エリア内の照度分布も均一化が図られている。
【００６６】
図１０は、上述した照明装置２を縦横に２台ずつ並べ、全台を点灯したときの配光分布を示すものである。図１０より判るように、本発明の導光体１を用いる照明装置２によれば、指向性を保持しながら、ＬＥＤ単体の配光角に比べて、広い配光角の照明光を出射することができる。
【００６７】
液晶表示装置においては、液晶パネルの背面側に並べたＬＥＤの発光量を個々に制御することで、同一画面内の異なるエリアのコントラスト比を高め、表示画像のコントラストを向上させるいわゆるローカルディミング方式が採用されることがある。照明装置２は、照明エリアを限定しつつ、照明エリア内の照度の均一化が図られている。そのため、液晶表示装置のバックライトとして複数配置することで、好適なローカルディミングを達成するこことができる。
【００６８】
（他の形態）
上述した本発明の実施の形態に係る照明装置２は、本発明の好適な形態の一例ではあるが、これに限定されるものではなく本発明の要旨を変更しない範囲において種々の変形実施が可能である。
【００６９】
たとえば、第２反射面８の複数の反射面８Ａは、図１１に示すように所定の面積を有する点状に形成してもよい。図１１に示す反射面８Ａを点状とした場合には、たとえば、凹部４（光軸Ｘ）からの距離が長くなるほど、隣接する反射面８Ａの間隔を広くすることで、反射面８Ａが設けられる密度を、凹部４（光軸Ｘ）からの距離が長くなるほど低くすることができる。
【００７０】
反射面８Ａを図１１に示すように点状に形成することで、反射面８Ａを図１に示す円環状に形成する場合と比べて、１つずつの反射面８Ａの面積を小さくすることができるため、反射面８Ａの配置密度を細かく変化させることができる。つまり、照度分布の制御を行い易くなる。
【００７１】
なお、点状の反射面８Ａの配置密度が高くなると、反射面８Ａと反射面８Ａとが接触し、全体として面となる場合がある。したがって、点状の概念は、面の形態も含むものとする。
【００７２】
また、複数の反射面８Ａは、上述の同心円の他に同心の多角形で構成することもできる。この場合は、同一の反射面において、光軸Ｘからの距離の差が大きくならないように６角形以上であることが好ましい。また、点状は、円形に限らず、３角形を含む多角形、あるいは円あるいは多角形の環状であってもよい。
【００７３】
また、光源はＬＥＤ３に限らず、放電光（キセノンランプ、水銀灯）等を用いることができる。また、導光部５は、四角錐として説明したが、円錐、あるいは他の角錐であってもよい。
【００７４】
また、第１反射面７、第２反射面８、第３反射面１２および第４反射面１４は、上述の説明では、鏡面としたが、反射性のインクを塗付する構成としてもよい。また、照明装置２は、液表表示装置のバックライトに用いることができる他、看板の光源、あるいはパネルスイッチの照明光源等にも用いることができる。
【符号の説明】
【００７５】
１  …  導光体
２  …  照明装置
３  …  光源
４  …  光入射部（凹部）
５  …  導光部
６  …  光出射面
７  …  第１反射面（第１の反射面）
８  …    第２反射面（第２の反射面）
８Ａ  …  複数の反射面
１１  …  端面（端部）
１２  …  第３反射面（第３の反射面）
１４  …  第４反射面（第４の反射面）
【図１】
2012186081.tif 000009
【図２】
2012186081.tif 000010
【図３】
2012186081.tif 000011
【図４】
2012186081.tif 000012
【図５】
2012186081.tif 000013
【図６】
2012186081.tif 000014
【図１０】
2012186081.tif 000015
【図１１】
2012186081.tif 000016
【図１２】
2012186081.tif 000017
【図７】
2012186081.tif 000018
【図８】
2012186081.tif 000019
【図９】
2012186081.tif 000020